(57)【要約】【課題】所望の個数の遊技球を容易に取得することができる弾球遊技機を提供する。【解決手段】パチンコ機には前面扉６が備えられ、前面扉６には投入口３０、排出口３２、表示パネル３４ａが備えられている。投入口３０と排出口との間には球通路が形成されており、投入口３０から投入されたパチンコ玉は略Ｕ字形状に折り返されて排出口３２から外部に排出される。球通路にはパチンコ玉の通過に応じて検出信号を出力する球検出センサが設けられており、球検出センサからの検出信号を基にカウント部は球通路を流下したパチンコ玉の個数をカウントする。カウント部でカウントされたパチンコ玉の個数は表示パネル３４ａに表示される。遊技者は表示パネル３４ａに表示された数字を見ながら投入口３０にパチンコ玉を投入することで所望の個数のパチンコ玉を容易に取得することができる。【選択図】        図３
2006192176.tif 000002
【特許請求の範囲】
【請求項１】
入口及び出口が機体の前面に配置され、遊技者によって入口から投入された遊技球を出口側に流下させるとともに出口から外部に排出する球通路と、
前記球通路から排出された遊技球の個数をカウントするカウント手段と、
前記カウント手段からのカウント信号に応じて前記球通路から排出された遊技球の個数を表示する球数表示手段とを設けたことを特徴とする弾球遊技機。
【請求項２】
前記前面は機体の前側を覆う開閉自在な前面扉に形成されており、
前記球通路の入口及び出口と前記球数表示手段とを前記前面扉に設けたことを特徴とする請求項１記載の弾球遊技機。
【請求項３】
前記入口から投入された遊技球は、Ｕ字形状に折り返して前記入口の真下に設けられた前記出口から外部に排出されることを特徴とする請求項１または２記載の弾球遊技機。
【請求項４】
前記前面には遊技球が払い出される受け皿が設けられており、
前記入口及び出口と前記球数表示手段とを前記受け皿の上方に設けたことを特徴とする請求項１ないし３いずれか１つ記載の弾球遊技機。
【請求項５】
前記前面には遊技球が払い出される受け皿が前方に突出して設けられており、
前記球通路の入口及び出口と前記球数表示手段とを前記受け皿に設けたことを特徴とする請求項１ないし３いずれか１つ記載の弾球遊技機。
【発明の詳細な説明】
【技術分野】
【０００１】
本発明はパチンコ店等の遊技場に設置して使用される弾球遊技機に関し、さらに詳しくは、入賞に応じて遊技球を払い出す弾球遊技機に関するものである。
【背景技術】
【０００２】
パチンコ店等の遊技場に設けられた弾球遊技機の前面には、遊技球が払い出される受け皿が設けられており、この受け皿には遊技によって獲得された遊技球が払い出される。弾球遊技機の前面には遊技球が流下する遊技領域が設けられており、遊技者は操作ハンドルを操作して遊技球を遊技領域に打ち出して遊技を開始し、例えばパチンコ機では、遊技領域に設けられた入賞口に遊技球が入賞することに応じて賞球としての遊技球が受け皿に払い出される。特に、始動入賞口への遊技球の入賞を契機として行なわれる電子抽選に当選した場合には遊技者にとって有利な状態に遊技状態が移行するため遊技球が入賞しやすくなり、この結果、遊技球を獲得しやすくなる。
【０００３】
近年の弾球遊技機では利便性や興趣を高めるために様々な工夫が試みられている。例えば、特許文献１に記載された発明では、受け皿に形成された球抜き穴を通過する遊技球を検知してカウントするとともに、カウントされた遊技球数を表示する表示手段とを備えることにより、受け皿に貯留された遊技球を球箱に移した際に球箱に移された遊技球の個数を遊技者に告知することができる弾球遊技機が示されている。
【特許文献１】特開２００２―０１１２０７号公報
【発明の開示】
【発明が解決しようとする課題】
【０００４】
ところで、遊技球には一定の価値が与えられており、遊技者は獲得した遊技球を景品交換所で物品と交換することができる。物品との交換に必要な遊技球の個数はその物品ごとに予め定められており、遊技者は遊技球を受け皿から容器などに移し、景品交換所で遊技球と引き換えに物品を受け取ることができた。
【０００５】
しかしながら遊技球を物品と交換する際、遊技者は物品の交換に必要な個数の遊技球を自身で数えながら受け皿から取り出さなければならず、このために遊技球の物品との交換を面倒に感じてしまう場合があった。また、受け皿から遊技球を移動しやすいように遊技球を外部に排出するための排出口を受け皿に設けた弾球遊技機もあるが、このような弾球遊技機でもやはり必要な個数の遊技球を受け皿から取り出すことは困難であり、結局、遊技者が必要な個数を数えて遊技球を受け皿から取り出す場合が多かった。
【０００６】
本発明は上記の事情に鑑みてなされたものであり、その目的は、所望の個数の遊技球を容易に取得することができる弾球遊技機を提供することにある。
【課題を解決するための手段】
【０００７】
上記の目的を達成するために、本発明の弾球遊技機では、入口及び出口が機体の前面に配置され、遊技者によって入口から投入された遊技球を出口側に流下させるとともに出口から外部に排出する球通路と、球通路から排出された遊技球の個数をカウントするカウント手段と、カウント手段からのカウント信号に応じて球通路から排出された遊技球の個数を表示する球数表示手段とを設けたことを特徴とする。
【０００８】
また、前面は筐体の前側を覆う開閉自在な前面扉に形成されており、球通路の入口及び出口と球数表示手段とを前面扉に設けたことを特徴とする。
【０００９】
また、入口から投入された遊技球は、Ｕ字形状に折り返して前記入口の真下に設けられた出口から外部に排出される。
【００１０】
また、前面には遊技球が払い出される受け皿が設けられており、入口及び出口と球数表示手段とを受け皿の上方に設けたことを特徴とする。
【００１１】
また、前面には遊技球が払い出される受け皿が前方に突出して設けられており、球通路の入口及び出口と前記球数表示手段とを受け皿に設けたことを特徴とする。
【発明の効果】
【００１２】
本発明の弾球遊技機によれば、入口及び出口が機体の前面に配置され、入口から投入された遊技球を出口側に流下させるとともに出口から外部に排出する球通路と、球通路から排出された遊技球の個数をカウントするカウント手段と、カウント手段からのカウント信号に応じて球通路から排出された遊技球の個数を表示する球数表示手段とを設けたことにより、球通路から排出された遊技球の個数がカウント手段によってカウントされ、球数表示手段にカウントされた遊技球の個数が表示されるため、遊技者は球通路に遊技球を投入することにより、容易に所望の個数の遊技球を得ることができる。これによって快適に遊技球を物品と交換することができる。
【００１３】
また、前面は筐体の前側を覆う開閉自在な前面扉に形成されており、球通路の入口及び出口と球数表示手段とを前面扉に設けたことにより、前面扉を交換することによって球通路及び球数表示手段とを交換することができ、メンテナンスを手軽に実行することができる。
【００１４】
また、入口から投入された遊技球は、Ｕ字形状に折り返して前記入口の真下に設けられた出口から外部に排出されることにより、球通路の設置に要するスペースをより小さくすることができる。また、出口が入口の真下に位置するため、遊技者は遊技球の投入及び受け取りを行いやすくなる。さらに出口から排出される遊技球の勢いを弱めることができる。
【００１５】
また、前面には遊技球が払い出される受け皿が設けられており、入口及び出口と球数表示手段とを受け皿の上方に設けたことにより、遊技者は受け皿内の遊技球を入口に投入しやすくなり、これにより利便性を高めることができる。また、出口から排出される遊技球を受け取り損なった場合でも遊技球は受け皿に回収され、利便性を高めることができる。
【００１６】
また、前面には遊技球が払い出される受け皿が前方に突出して設けられており、球通路の入口及び出口と前記球数表示手段とを受け皿に設けたことにより、入口及び出口がより遊技者側に位置するため、遊技者は受け皿内の遊技球を入口に投入しやすくかつ出口から排出される遊技球を受け取りやすくなる。またより近くに球数表示手段が位置するため、遊技者は球数表示手段に表示される球数を確認しやすくなる。
【発明を実施するための最良の形態】
【００１７】
図１に本発明の弾球遊技機であるパチンコ機２の外観斜視図を示す。パチンコ機２の前面には遊技領域９が露呈しており、操作ハンドル２４の操作に応じて遊技球であるパチンコ玉が遊技領域９に打ち出される。遊技領域９の上部に打ち出されたパチンコ玉は遊技領域９を流下し、遊技領域９内に設けられた入賞口に入賞した場合には払い出し口２５から受け皿２３に賞球としてのパチンコ玉が払い出される。交換ユニット３は本体基部１８に着脱自在に取り付けられており、遊技領域９は交換ユニット３に形成されている。
【００１８】
図２に交換ユニット３を本体基部１８から取り外したパチンコ機２の分解斜視図を示す。パチンコ機２は、遊技場に固定される据え置きユニット４とこの据え置きユニット４に着脱自在に取り付けられる交換ユニット３から構成される。交換ユニット３は、新しい機種へ切り替えるために交換されるユニットであり、前面扉６、遊技盤８ａが形成された遊技盤ユニット８、遊技盤ユニット８を保持する保持枠７から構成される。交換ユニット３が据え置きユニット４に取り付けられる際は、保持枠７が本体基部１８の保持開口１８ａ内にはめ込まれ、例えば、据え置きユニット４に設けられた固定具によって固定される。前面扉６は、本体基部１８に対して回動自在となるようにヒンジ部（図示省略）を介して組み付けられ、その前面６ａの一部はガラス板１０によって構成されている。
【００１９】
遊技盤８ａ上には、パチンコ玉が流下する際に衝突する釘（図示省略）、センター役物１２などが設けられている。遊技盤８ａ上には操作ハンドル２４の操作に応じて打ち出されたパチンコ玉を遊技領域９の上部に誘導するためのレール４２ａが遊技盤８ａと垂直に形成されている。遊技盤８ａは前面扉６に設けられたガラス板１０によって覆われ、遊技盤８ａをガラス板１０で覆うことによって遊技領域９が形成される。前面扉６が閉じている状態では、遊技領域９を流下するパチンコ玉や、遊技領域９に設けられた構造物はガラス板１０を介して視認可能となる。
【００２０】
据え置きユニット４には、パチンコ玉を貯留するための受け皿２３、パチンコ玉を遊技領域９に打ち出すために操作される操作ハンドル２４、パチンコ玉の払い出しを行う払い出し口２５などが設けられている。受け皿２３には、遊技を開始する場合や、遊技領域９を流下するパチンコ玉が遊技領域９に設けられた入賞口のいずれかに入賞した場合に、パチンコ玉が払い出される。入賞口にパチンコ玉が入賞した場合では、入賞に応じた個数のパチンコ玉が払い出し口２５から受け皿２３に払い出される。
【００２１】
操作ハンドル２４は遊技を行う際には遊技者によって回動され、この操作ハンドル２４の回動に応じた強さでパチンコ玉が遊技領域９に打ち出される。なお、操作ハンドル２４は、操作ハンドル２４内部に組み込まれた捩りバネによってパチンコ玉を遊技領域９に発射しない初期位置に向けて付勢されており、操作ハンドル２４から遊技者の手が離れた場合には初期位置に戻る。
【００２２】
図３に前面扉６を正面から観察した正面図を示す。遊技盤８ａ上には、釘２６やセンター役物１２の他に、図示しない通常入賞口を備えた入賞チャッカ−１３、図示しない始動入賞口を備えたスタートチャッカ−１４、閉じ位置と開き位置との間で移動するとともに開き位置に位置する場合に大入賞口（図示省略）を露呈させるアタッカ１５、アウト口１６等が設けられている。このうち、スタートチャッカ−１４には電動チューリップと呼ばれる開閉式の可動装置が設けられ、電動チューリップが開放されている場合にはパチンコ玉が始動入賞口に入りやすくなる。遊技領域９の上部に打ち出されたパチンコ玉は釘２６、図柄表示装置１２の側壁、通過チャッカー１７などを通過し、いずれの入賞口にも入賞しなかった場合にはアウト口１６によって回収される。
【００２３】
センター役物１２には液晶パネル２７が備えられ、液晶パネル２７には３つの図柄が並べて表示される。例えば図柄は「０」〜「９」の１０種類で構成され、始動入賞口へのパチンコ玉の入賞に応じて図柄の変動表示が開始される。各図柄が停止表示された際の図柄の組み合せによって抽選の結果が当たりであるかハズレであるかが遊技者に告知される。
【００２４】
液晶パネル２７の上には４つのランプから構成される保留球表示部２８が設けられ、保留球表示部２８は、液晶パネル２７において図柄が変動表示されている間に始動入賞口にパチンコ玉が入賞した場合、これに応じてランプを１つずつ点灯させる。図柄が変動表示されている間での始動入賞口へのパチンコ玉の入賞は図柄を変動させる権利として持ち越され、この権利の持ち越しは例えば４つまでと予め決められている。保留球表示部２８のランプは、持ち越された権利を使用するごとに１つ消灯する。
【００２５】
遊技領域９の近傍にはパチンコ玉の投入口３０と投入口３０から投入されたパチンコ玉を外部に排出する排出口３２とが前面扉６の前面６ａに設けられ、投入口３０と排出口３２とは後述する球通路によって通じている。排出口３２の横には排出口３２から外部に排出されたパチンコ玉の個数を表示する球数表示手段である表示パネル３４ａが設けられており、表示パネル３４ａは排出個数を２桁まで表示することができる。投入口３０の図中左上にはリセットボタン３３が配置されており、リセットボタン３３が押されることによって表示パネル３４ａに表示された数値が「０」に戻される。
【００２６】
図４に前面扉６に設けられた投入口３０と排出口３２とを前面６ａと垂直な面で縦に切断した断面図を示す。前面扉６の前面６ａの一部はガラス板１０によって構成され、ガラス板１０には投入口３０および排出口３２が形成されている。遊技盤ユニット８は遊技盤８ａを構成する基板４０、この基板４０上に設けられ、操作ハンドル２４の操作に応じて打ち出されたパチンコ玉を遊技領域９の上部に導くためのレール４２ａなどを構成する枠部材４２などから構成され、枠部材４２には投入口３０から投入されたパチンコ玉を排出口３２に導くための球通路３５が形成されている。球通路３５は、投入口３０から投入されたパチンコ玉を重力によって排出口３２側に流下させるとともに排出口３２から排出されるように略Ｕ字状に形成されている。
【００２７】
枠部材４２にはパチンコ玉の検出に応じて出力信号がオフからオンに切り換わる球検出センサ３７が設けられている。球検出センサ３７としては、光を照射する発光部と、この発光部に近接配置されてパチンコ玉によって反射された光を受ける受光部とを有する反射型のフォトセンサが用いられており、このフォトセンサは、投光部及び受光部が球通路３５内に露呈するように枠部材４０に形成された固定開口４２ａに固定される。球検出センサ３７の前をパチンコ玉が通過した際、これに応じて球検出センサ３７からは検出信号が出力され、この検出信号を基に排出口３２から排出されるパチンコ玉の個数が計数される。なお、上記ではフォトセンサとしてパチンコ玉によって反射された光を受光部で受ける反射型のフォトセンサを用いたが、発光部と受光部とが向かい合って配置され、投光部からの光がパチンコ玉によって遮られたことに応じて検出信号を出力する透過型のフォトセンサを用いても構わない。
【００２８】
図５にパチンコ機２の電気的な構成を概略的に示したブロック図を示す。パチンコ機２は主制御部４０と副制御部４１とから構成されている。主制御部４０には主制御装置４２が設けられ、パチンコ機２は主制御装置４２内に設けられたＣＰＵ４３によってパチンコ機２の動作全般が制御されている。
【００２９】
主制御装置４２にはＣＰＵ４３の他、メモリ４５、当たり決定部４７、停止図柄決定部４９、演出決定部５１、タイマー回路５３などが設けられている。ＣＰＵ４３はメモリ４５に格納された制御プログラムに従ってパチンコ機２の動作を制御する。
【００３０】
主制御部４０には主制御装置４２の他、払い出し制御装置５５、可動物制御装置５７、発射制御装置５９、始動入賞口入賞球検出センサ６０、大入賞口入賞球検出センサ６１、通常入賞口入賞球検出センサ６２、通過球検出センサ６３が設けられている。通過球検出センサ６３は通過チャッカ−に設けられ、パチンコ玉の通過の応じて検出信号がＣＰＵ４３に入力される。入賞チャッカ−１３に設けられた通場入賞口内には通常入賞口入賞球検出センサ６２が、スタートチャッカ−１４に設けられた始動入賞口内には始動入賞口入賞球検出センサ６０が、アタッカ開放時に露呈する大入賞口内には大入賞口入賞球検出センサ６１がそれぞれ設けられており、それぞれパチンコ玉の検出に応じて検出信号がＣＰＵ４３に入力される。
【００３１】
当たり決定部４７は乱数発生器、乱数サンプリング回路、当たり決定テーブルを備え、始動入賞口入賞球検出センサ６０がパチンコ玉の入賞を検出するたびに乱数値をサンプリングする。サンプリングされた乱数値は当たり決定テーブルと照合されて当たりまたはハズレが決定される。
【００３２】
停止図柄決定部４９では液晶パネル２７に停止表示させる図柄の組み合せが決定される。停止図柄決定部４９は、乱数発生器、乱数サンプリング回路、停止図柄テーブルを備え、当たり決定部４７での抽選が行われた後に作動される。停止図柄テーブルは当たり用とハズレ用とがあり、当たり決定部４７での抽選結果に応じてどちらかが参照され、液晶パネル２７に停止表示される図柄が決定される。
【００３３】
演出決定部５１は乱数発生器、乱数サンプリング回路、演出テーブルを備え、始動入賞口入賞球検出センサ６０からの検出信号に応じて作動する。乱数サンプリング回路でサンプリングされた乱数値に応じて演出テーブルから表示用の演出が選択される。演出表示は、図柄の変動表示とともに開始され、タイマー回路５３からの計時信号を基にして所定時間実行された後、図柄の停止表示とともに終了する。
【００３４】
払出制御装置５５は、通常入賞口入賞球検出センサ６２や大入賞口入賞球検出センサ６１からの検出信号の入力に応じてパチンコ玉を払い出す。それぞれの入賞口にパチンコ玉が入賞した場合に払い出されるパチンコ玉の個数は予め定められており、払出制御装置５５によって払い出されたパチンコ玉は払い出し口２５から受け皿２３に排出される。
【００３５】
発射制御装置５９は操作ハンドル２４の操作に応じてパチンコ玉を遊技領域９に打ち出す。図示しないがパチンコ機２には遊技領域９にパチンコ玉を打ち出すための打ち出しノッカー、受け皿２３に貯留されたパチンコ玉を打ち出しノッカーに送る球送り装置が備えられ、操作ハンドル２４の回し具合に応じた打ち出し強度で打ち出しノッカーはパチンコ玉を遊技領域９に打ち出す。
【００３６】
副制御部４１には、ランプ制御装置６７、音声制御装置６９、７セグメント表示装置３４、カウント部７３が設けられている。ランプ制御装置６７ではパチンコ機２に設けられたランプや保留表示部２８のランプなどの点灯を制御している。
【００３７】
音声制御装置６９はサウンドメモリを備えており、図柄の変動表示を行っているときや当たりを示す図柄が停止表示されたときなどにサウンドメモリから音声データを読み出し、この音声データを基にパチンコ機２に備え付けられたスピーカを駆動させる。
【００３８】
カウント部７３は、球検出センサ３７からの検出信号に基づいてパチンコ玉の個数をカウントする。球検出センサ３７の前をパチンコ玉が通過すると、これに応じて検出信号が球検出センサ３７からカウント部７３に入力される。カウント部７３では検出信号に応じて「０」から１ずつ加算処理され、カウント部７３から７セグメント表示装置３４にカウント値に応じたカウント信号が入力される。
【００３９】
７セグメント表示装置３４は、表示パネル３４ａを備え、排出口３２から排出されたパチンコ玉の個数を表示パネル３４ａに表示する。７セグメント表示装置３４はカウント部７３からのカウント信号を基に表示パネル３４ａに球検出センサ３７の前を通過したパチンコ玉の個数を表示する。リセットボタン３３が押されるとこれに応じてリセット信号が７セグメント表示装置３４及びカウント部７３に入力され、表示パネル３４ａに表示される値が「０」に切り換わり、カウント部７３でのカウント値は「０」に戻される。
【００４０】
本発明の作用について説明する。遊技領域９に打ち出されたパチンコ玉が各種入賞口に入賞すると、これに応じてパチンコ玉が受け皿２３に払い出される。
【００４１】
景品交換所で所望の景品と交換する際に必要となるパチンコ玉の個数は予め決められており、遊技者は所望の個数のパチンコ玉を取得したい場合にパチンコ玉を投入口３０に投入する。遊技者によって投入されたパチンコ玉は球通路３５を通って排出口３２から外部に排出され、表示パネル３４ａには排出口３２から排出されたパチンコ玉の個数が表示される。このため遊技者は表示パネルを見ながら投入口３０にパチンコ玉を投入するとともに排出口３２からパチンコ玉を受け取ることで所望の個数のパチンコ玉を容易に取得することができる。また、投入口３０及び排出口３２を受け皿２３の上方に設けたことにより、遊技者がパチンコ玉を誤って落下させた場合、受け皿２３によってパチンコ玉が捕球されるため、パチンコ玉が遊技場内に散らばってしまうことを防ぐことができる。表示パネル３４ａに表示されるパチンコ玉の個数はリセットボタン３３が押されるまで加算され、リセットボタン３３が押されるとこれに応じて表示パネル３４ａに表示された数字は「０」に戻される。なお、この実施形態では弾球遊技機としてパチンコ機を例示したが本発明はこれに限らず、アレンジボール型の遊技機等にも利用することができる。
【００４２】
なお、上記の実施形態では前面扉６に投入口３０及び排出口３２と、表示パネル３４ａとを設けたが、本発明はこれに限らない。例えば、図６に示すように、受け皿２３に、投入口７５及び排出口７６と、表示パネル７８とを設けることもできる。受け皿２３はパチンコ機２の前方に向かって突出しており、受け皿２３には投入口７５、排出口７６、表示パネル７８が設けられている。投入口７５から投入されたパチンコ玉は図示しない球通路を通って排出口７６から排出される。投入口７５と排出口７６との間にはパチンコ玉を検出する球検出センサが配置されており、球検出センサからの検出信号を基にして球通路を流下したパチンコ玉の個数がカウント部で計数される。カウント部で計数されたパチンコ玉の個数は表示パネル７８に表示され、これにより遊技者は容易に所望の個数のパチンコ玉を取得させることができる。また、受け皿２３は前方に突出形成されているため、遊技者が遊技場に備えられた球箱を排出口７６の下方で保持することで排出口７６から排出されるパチンコ玉をより容易に集めることができる。これにより利便性の高いパチンコ機の提供が期待できる。
【００４３】
また、上記の実施形態では、球通路３５は前面に設けられた投入口３０から投入されたパチンコ玉を前面に設けられた排出口３２に折り返すように略Ｕ字形状に形成されたが、球通路の形状はこれに限らない。例えば、球通路を、排出口から外部に排出されるパチンコ玉の勢いを弱めるように球通路を螺旋状に形成したり、排出口付近で上下方向に起伏するように形成してもよい。このような形状に球通路を形成することにより、排出口から排出されるパチンコ玉の勢いが弱められ、遊技者はパチンコ玉を受け取りやすくなり、より利便性の高い弾球遊技機を提供することが可能となる。
【００４４】
また、上記の実施形態では、据え置きユニット４と据え置きユニット４から着脱自在な交換ユニット３から構成されるパチンコ機２を例示したが、本発明はこれに限らず、例えば、パチンコ機の前面が筐体に一体形成されたパチンコ機などに実施しても構わない。筐体の前面には、遊技領域を形成するガラス板、入賞に応じて払い出されるパチンコ玉を貯留する受け皿、遊技領域にパチンコ玉を打ち出す際に操作される操作ハンドルなどが設けられ、このようなパチンコ機の前面に投入口、排出口、表示パネルを設けることにより、コストを低減しながら利便性が高められたパチンコ機を提供することができる。
【００４５】
また、上記の実施形態では、フォトセンサからの検出信号を用いて排出口３２から排出されるパチンコ玉の個数をカウントしたが、球通路を流下するパチンコ玉の個数をカウントする方法はこれに限らない。例えば、球通路を流下するパチンコ玉によって回動するスプロケットを球通路内に配置し、このスプロケットの回動を基に球通路を流下するパチンコ玉の個数をカウントする方法や、球通路を流下するパチンコ玉によって排出口側に押し開かれる開閉弁を球通路内に設け、この開閉弁の開閉動作を基に排出口から排出されるパチンコ玉の個数をカウントする方法などもある。このような方法によってパチンコ玉の確実なカウントが期待できる。
【図面の簡単な説明】
【００４６】
【図１】本発明のパチンコ機を前側から観察した外観斜視図である。
【図２】交換ユニットを据え付けユニットから取り外したパチンコ機の分解斜視図である。
【図３】前面扉を正面から観察した平面図である。
【図４】前面扉に設けられた球通路を遊技盤と垂直に縦に切断した断面図である。
【図５】パチンコ機の電気的な構成を概略的に示したブロック図である。
【図６】受け皿に投入口、排出口及び表示パネルを設けたパチンコ機の外観斜視図である。
【符号の説明】
【００４７】
２  パチンコ機（弾球遊技機）
３  交換ユニット
４  据え置きユニット
６  前面扉
８  遊技盤ユニット
２３  受け皿
２５  払い出し口
３０  投入口（入口）
３２  排出口（出口）
３４  ７セグメント表示装置
３４ａ  表示パネル（球数表示手段）
３５  球通路
３７  球検出センサ
４２  枠部材
７３  カウント部（カウント手段）
【図１】
2006192176.tif 000003
【図２】
2006192176.tif 000004
【図３】
2006192176.tif 000005
【図４】
2006192176.tif 000006
【図５】
2006192176.tif 000007
【図６】
2006192176.tif 000008